(57)【要約】【課題】本発明は水面雑物の収集処理システムを開示した。【解決手段】本発明は水面雑物の収集処理システムを開示し、回転体を含み、前記回転体内には上方に開口し、且つ左右に貫通した輸送チャンバが設置され、前記輸送チャンバ内には収集装置が設置され、前記収集装置は水面雑物を集められ、且つ運び出すことができ、前記回転体の下側には船体が設置され、前記船体内には上方に開口した開口チャンバが設置され、前記開口チャンバ内には回転ブロックが回転可能に設置され、前記回転体の下端にはヒンジ連結棒がヒンジで連結され、本発明はベルトで水面にある雑物を集めて輸送し、回転体の回転でベルトを回転させ、それにより、船体両側の雑物に対しても迅速に対応でき、また、異なる大きさを有する濾過網を用いることで、雑物を素早く分別し、処理できる。【選択図】図１
2020195992.tif 000002
【特許請求の範囲】
【請求項１】
正面視で、回転体を含み、
前記回転体内には上方に開口し、且つ左右に貫通した輸送チャンバが設置され、前記輸送チャンバ内には収集装置が設置され、前記収集装置は水面雑物を集められ、且つ運び出すことができ、
前記回転体の下側には船体が設置され、前記船体内には上方に開口した開口チャンバが設置され、前記開口チャンバ内には回転ブロックが回転可能に設置され、前記回転体の下端にはヒンジ連結棒がヒンジで連結され、前記ヒンジ連結棒の下端は前記回転ブロックと固定的に連結され、前記回転ブロックと前記回転体との間には回転装置がヒンジで連結され、前記回転装置は前記回転体を垂直面で回転させられ、
前記回転ブロックの下端には旋転装置が固定的に連結され、前記旋転装置は前記回転ブロックを回転させられ、そして前記回転体を回転連動させ、前記回転装置と前記旋転装置とは噛み合うように連結され、
前記旋転装置と前記回転装置との右側には濾過装置が設置され、前記回転装置と前記旋転装置とはそれぞれ前記濾過装置と噛み合うように連結され、前記濾過装置は水面雑物に分別を行えることを特徴とする水面雑物の収集処理システム。
【請求項２】
前記収集装置は前記回転体内に設置された輸送チャンバを含み、前記輸送チャンバは左右に貫通し、且つ上方に開口しており、前記輸送チャンバの前後内壁の間には固定軸が左右対称に、且つ回転可能に連結され、前記固定軸の円周面には第一プーリが固定的に設置され、左右二つの前記第一プーリはベルトによって連結され、前記ベルトの上端には隔て板が二十六個固定的に連結され、前記回転体の後側内壁内には輸送モータが固定的に設置され、右側の前記固定軸の後端は前記輸送モータに伝動可能に連結されていることを特徴とする請求項１に記載の水面雑物の収集処理システム。
【請求項３】
前記回転装置は前記船体内に設置された第一噛合チャンバを含み、前記第一噛合チャンバ内には第一傘歯車が回転可能に設置され、前記第一傘歯車の上端には回転軸が固定的に連結され、前記第一噛合チャンバの上側内壁内には第二噛合チャンバが連通するように設置され、前記回転軸の上端は前記第二噛合チャンバの中に延在し、且つ前記回転軸の上端には第二傘歯車が固定的に設置され、前記第二傘歯車の左端には第三傘歯車が噛み合っており、前記第三傘歯車の左端には右側伝動軸が固定的に連結され、前記第二噛合チャンバの左側内壁内には旋転チャンバが連通するように設置され、前記旋転チャンバ内には固定連結ブロックが左右対称に、且つ回転可能に設置され、前記固定連結ブロックのうち対称中心に近接した一端には水平軸が回転可能に連結され、前記水平軸内には縦軸が回転可能に設置され、前記縦軸の上下両端にはそれぞれ工字棒がヒンジで連結され、前記固定連結ブロックのうち対称中心から離れた一端には左側伝動軸が固定的に連結され、前記回転ブロック内には上方に開口したスライドブロックチャンバが設置され、前記スライドブロックチャンバ内にはネジ山ブロックがスライド可能に設置され、前記左側伝動軸の右端と前記ネジ山ブロックとはネジ山で連結され、前記ネジ山ブロックの上端にはスライド棒がヒンジで連結され、前記回転ブロックの上端には回転棒がヒンジで連結され、前記回転棒内にはスライド溝が前後貫通するように形成され、前記スライド溝内にはスライドブロックがスライド可能に設置され、前記スライドブロックの前後両端と前記スライド棒とはヒンジで連結され、前記回転棒の上端は前記回転体にヒンジで連結されていることを特徴とする請求項１に記載の水面雑物の収集処理システム。
【請求項４】
前記旋転装置は前記第一噛合チャンバ内に回転可能に設置された第一スリーブ軸を含み、前記第一スリーブ軸の円周面には第一スリーブがスライド可能に、且つ回転可能に設置され、前記第一スリーブの右端には第四傘歯車が固定的に設置され、前記第四傘歯車は前記第一傘歯車と噛み合うことができ、前記第一スリーブの左端には第五傘歯車が固定的に設置され、前記第五傘歯車の左端には第六傘歯車が噛み合っており、前記第一噛合チャンバの上側内壁内には回転軸チャンバが連通するように設置され、前記回転軸チャンバ内にはＺ形棒が回転可能に設置され、前記Ｚ形棒の下端は前記第六傘歯車と固定的に連結され、前記Ｚ形棒の上端と前記回転ブロックとは固定的に連結されていることを特徴とする請求項１に記載の水面雑物の収集処理システム。
【請求項５】
前記船体内には圧縮チャンバが設置され、前記圧縮チャンバ内には第一電磁石がスライド可能に設置され、前記第一電磁石と前記圧縮チャンバの左側内壁との間には第一ばねが固定的に連結され、前記第一電磁石の右端には下側推動板が固定的に連結されていることを特徴とする請求項４に記載の水面雑物の収集処理システム。
【請求項６】
前記船体内には第三噛合チャンバが設置され、前記第三噛合チャンバ内にはモータ軸が回転可能に設置され、前記第三噛合チャンバの右側内壁内には伝動モータが設置され、前記モータ軸の右端には前記伝動モータが伝動可能に連結され、前記モータ軸の円周面には第二スリーブがスライド可能に、且つ回転可能に連結され、前記第二スリーブの右端には第七傘歯車が固定的に設置され、前記第七傘歯車の右端は第八傘歯車と噛み合うことができ、前記第二スリーブの左端には上平歯車が固定的に設置され、前記第一噛合チャンバの右側内壁内には第四噛合チャンバが連通するように設置され、前記第一スリーブ軸の右端は前記第四噛合チャンバ内に延在し、且つ前記第一スリーブ軸の右端には下平歯車が固定的に連結され、前記下平歯車は前記上平歯車と噛み合うことができ、前記第四噛合チャンバの上側内壁内にはばねチャンバが連通するように設置され、前記ばねチャンバ内には第二電磁石がスライド可能に設置され、前記第二電磁石の左端と前記ばねチャンバの左側内壁との間には第二ばねが固定的に設置され、前記第二電磁石の右端には上側推動板が固定的に連結されていることを特徴とする請求項４に記載の水面雑物の収集処理システム。
【請求項７】
前記濾過装置は前記第八傘歯車の上端に固定的に設置された中間回転軸を含み、前記第三噛合チャンバの上側内壁内には上ベルトチャンバが連通するように設置され、前記中間回転軸の上端は前記上ベルトチャンバ内に延在し、且つ前記中間回転軸の上端には第一ベルトプーリが固定的に連結され、前記第一ベルトプーリの右側には第二ベルトプーリが回転可能に設置され、前記第二ベルトプーリと前記第一ベルトプーリとの間には第一ベルトが連結され、前記上ベルトチャンバの前側内壁内には歯車チャンバが前後対称に設置され、前後の前記歯車チャンバの間には上伝動軸と下伝動軸とが左右対称に、且つ回転可能に設置され、前記上伝動軸は前記下伝動軸の上側に位置し、前後二つの前記歯車チャンバ内には八つの噛合歯車が左右対称に、且つ回転可能に設置され、八つの前記噛合歯車は前記上伝動軸と前記下伝動軸との円周面にそれぞれ固定的に設置され、前記歯車チャンバの間には上方に開口した濾過網チャンバが連通するように設置され、前記濾過網チャンバ内には濾過網が上下対称に、且つスライド可能に設置され、前記噛合歯車のうち対称中心に近接した一端にはラックが噛み合っており、前記ラックのうち対称中心に近接した一端は前記濾過網と固定的に連結され、左側の前記上伝動軸の後端は前記上ベルトチャンバ内に延在し、且つ左側の前記上伝動軸の後端には前記第二ベルトプーリが連結され、前側の前記歯車チャンバには伝動チャンバが連通するように設置され、前記伝動チャンバ内には伝動輪が左右対称に、且つ回転可能に設置され、前記下伝動軸の前端は前記伝動チャンバ内に延在し、且つ前記伝動輪に固定的に連結され、二つの前記伝動輪は伝動ベルトによって連結されていることを特徴とする請求項１に記載の水面雑物の収集処理システム。
【請求項８】
上側の前記濾過網は下側の前記濾過網より濾過孔が大きいことを特徴とする請求項７に記載の水面雑物の収集処理システム。
【請求項９】
前記船体の上端には連結棒が固定的に設置され、前記連結棒の上端には下スライド板が固定的に連結され、前記下スライド板は前記回転体の下側に位置することを特徴とする請求項１又は請求項７に記載の水面雑物の収集処理システム。
【発明の詳細な説明】
【技術分野】
【０００１】
本発明は水汚染管理分野を取り上げ、具体的には水面雑物の収集処理システムである。
【背景技術】
【０００２】
水面には雑物が多く、且つ大きさも均一ではない。人力で処理するには時間がかかり、また、既存する水面雑物処理船は基本的に船体の前側にある雑物しか処理できなく、船体両側の雑物を迅速に対応できず、時間がかかる。従って、水面雑物の収集処理システムの設計は必要である。本発明はベルトで水面にある雑物を集めて輸送し、回転体の回転でベルトを回転させ、それにより、船体両側の雑物に対しても迅速に対応でき、また、異なる大きさを有する濾過網を用いることで、雑物を素早く分別し、処理できる。
【先行技術文献】
【特許文献】
【０００３】
【特許文献１】中国特許出願公開第１０７３８６２３２号明細書
【発明の概要】
【発明が解決しようとする課題】
【０００４】
水面には雑物が多く、且つ大きさも均一ではなく、人力で処理するには時間がかかり、また、既存する水面雑物処理船は基本的に船体の前側にある雑物しか処理できなく、船体両側の雑物を迅速に対応できない。
【課題を解決するための手段】
【０００５】
上記の問題を解決するため、水面雑物の収集処理システムを設計し、本発明の水面雑物の収集処理システムは、回転体を含み、前記回転体内には上方に開口し、且つ左右に貫通した輸送チャンバが設置され、前記輸送チャンバ内には収集装置が設置され、前記収集装置は水面雑物を集められ、且つ運び出すことができ、前記回転体の下側には船体が設置され、前記船体内には上方に開口した開口チャンバが設置され、前記開口チャンバ内には回転ブロックが回転可能に設置され、前記回転体の下端にはヒンジ連結棒がヒンジで連結され、前記ヒンジ連結棒の下端は前記回転ブロックと固定的に連結され、前記回転ブロックと前記回転体との間には回転装置がヒンジで連結され、前記回転装置は前記回転体を垂直面で回転させられ、前記回転ブロックの下端には旋転装置が固定的に連結され、前記旋転装置は前記回転ブロックを回転させられ、そして前記回転体を回転連動させ、前記回転装置と前記旋転装置とは噛み合うように連結され、前記旋転装置と前記回転装置との右側には濾過装置が設置され、前記回転装置と前記旋転装置とはそれぞれ前記濾過装置と噛み合うように連結され、前記濾過装置は水面雑物に分別を行える。
【０００６】
好適な技術プランとして、前記収集装置は前記回転体内に設置された輸送チャンバを含み、前記輸送チャンバは左右に貫通し、且つ上方に開口しており、前記輸送チャンバの前後内壁の間には固定軸が左右対称に、且つ回転可能に連結され、前記固定軸の円周面には第一プーリが固定的に設置され、左右二つの前記第一プーリはベルトによって連結され、前記ベルトの上端には隔て板が二十六個固定的に連結され、前記回転体の後側内壁内には輸送モータが固定的に設置され、右側の前記固定軸の後端は前記輸送モータに伝動可能に連結され、
前記輸送モータは前記固定軸の回転を駆動でき、それにより、前記第一プーリを連動させて回転させ、そして前記ベルトのスライドを連動させ、さらに前記隔て板で水面雑物を収集し、輸送する。
【０００７】
好適な技術プランとして、前記回転装置は前記船体内に設置された第一噛合チャンバを含み、前記第一噛合チャンバ内には第一傘歯車が回転可能に設置され、前記第一傘歯車の上端には回転軸が固定的に連結され、前記第一噛合チャンバの上側内壁内には第二噛合チャンバが連通するように設置され、前記回転軸の上端は前記第二噛合チャンバの中に延在し、且つ前記回転軸の上端には第二傘歯車が固定的に設置され、前記第二傘歯車の左端には第三傘歯車が噛み合っており、前記第三傘歯車の左端には右側伝動軸が固定的に連結され、前記第二噛合チャンバの左側内壁内には旋転チャンバが連通するように設置され、前記旋転チャンバ内には固定連結ブロックが左右対称に、且つ回転可能に設置され、前記固定連結ブロックのうち対称中心に近接した一端には水平軸が回転可能に連結され、前記水平軸内には縦軸が回転可能に設置され、前記縦軸の上下両端にはそれぞれ工字棒がヒンジで連結され、前記固定連結ブロックのうち対称中心から離れた一端には左側伝動軸が固定的に連結され、前記回転ブロック内には上方に開口したスライドブロックチャンバが設置され、前記スライドブロックチャンバ内にはネジ山ブロックがスライド可能に設置され、前記左側伝動軸の右端と前記ネジ山ブロックとはネジ山で連結され、前記ネジ山ブロックの上端にはスライド棒がヒンジで連結され、前記回転ブロックの上端には回転棒がヒンジで連結され、前記回転棒内にはスライド溝が前後貫通するように形成され、前記スライド溝内にはスライドブロックがスライド可能に設置され、前記スライドブロックの前後両端と前記スライド棒とはヒンジで連結され、前記回転棒の上端は前記回転体の下端にヒンジで連結され、
前記右側伝動軸の回転は前記工字棒の回転を駆動し、それにより、前記固定連結ブロックは駆動されて回転し、そして前記左側伝動軸は駆動されて回転し、そして前記ネジ山ブロックは駆動されてスライドし、さらに前記スライドブロックは駆動されて前記スライド溝内でスライドし、前記ヒンジ連結棒と前記回転体の下端とはヒンジで連結され、支点として働け、前記回転体の回転を駆動できる。
【０００８】
好適な技術プランとして、前記旋転装置は前記第一噛合チャンバ内に回転可能に設置された第一スリーブ軸を含み、前記第一スリーブ軸の円周面には第一スリーブがスライド可能に、且つ回転可能に設置され、前記第一スリーブの右端には第四傘歯車が固定的に設置され、前記第四傘歯車は前記第一傘歯車と噛み合うことができ、前記第一スリーブの左端には第五傘歯車が固定的に設置され、前記第五傘歯車の左端には第六傘歯車が噛み合っており、前記第一噛合チャンバの上側内壁内には回転軸チャンバが連通するように設置され、前記回転軸チャンバ内にはＺ形棒が回転可能に設置され、前記Ｚ形棒の下端は前記第六傘歯車と固定的に連結され、前記Ｚ形棒の上端と前記回転ブロックとは固定的に連結されている。
【０００９】
好ましくは、前記船体内には圧縮チャンバが設置され、前記圧縮チャンバ内には第一電磁石がスライド可能に設置され、前記第一電磁石と前記圧縮チャンバの左側内壁との間には第一ばねが固定的に連結され、前記第一電磁石の右端には下側推動板が固定的に連結され、前記第一電磁石のスライドは前記下側推動板のスライドを駆動でき、そして第四傘歯車を押し動かしてスライドさせられる。
【００１０】
好ましくは、前記船体内には第三噛合チャンバが設置され、前記第三噛合チャンバ内にはモータ軸が回転可能に設置され、前記第三噛合チャンバの右側内壁内には伝動モータが設置され、前記モータ軸の右端には前記伝動モータが伝動可能に連結され、前記モータ軸の円周面には第二スリーブがスライド可能に、且つ回転可能に連結され、前記第二スリーブの右端には第七傘歯車が固定的に設置され、前記第七傘歯車の右端は第八傘歯車と噛み合うことができ、前記第二スリーブの左端には上平歯車が固定的に設置され、前記第一噛合チャンバの右側内壁内には第四噛合チャンバが連通するように設置され、前記第一スリーブ軸の右端は前記第四噛合チャンバ内に延在し、且つ前記第一スリーブ軸の右端には下平歯車が固定的に連結され、前記下平歯車は前記上平歯車と噛み合うことができ、前記第四噛合チャンバの上側内壁内にはばねチャンバが連通するように設置され、前記ばねチャンバ内には第二電磁石がスライド可能に設置され、前記第二電磁石の左端と前記ばねチャンバの左側内壁との間には第二ばねが固定的に設置され、前記第二電磁石の右端には上側推動板が固定的に連結されている。
【００１１】
好適な技術プランとして、前記濾過装置は前記第八傘歯車の上端に固定的に設置された中間回転軸を含み、前記第三噛合チャンバの上側内壁内には上ベルトチャンバが連通するように設置され、前記中間回転軸の上端は前記上ベルトチャンバ内に延在し、且つ前記中間回転軸の上端には第一ベルトプーリが固定的に連結され、前記第一ベルトプーリの右側には第二ベルトプーリが回転可能に設置され、前記第二ベルトプーリと前記第一ベルトプーリとの間には第一ベルトが連結され、前記上ベルトチャンバの前側内壁内には歯車チャンバが前後対称に設置され、前後の前記歯車チャンバの間には上伝動軸と下伝動軸とが左右対称に、且つ回転可能に設置され、前記上伝動軸は前記下伝動軸の上側に位置し、前後二つの前記歯車チャンバ内には八つの噛合歯車が左右対称に、且つ回転可能に設置され、八つの前記噛合歯車は前記上伝動軸と前記下伝動軸との円周面にそれぞれ固定的に設置され、前記歯車チャンバの間には上方に開口した濾過網チャンバが連通するように設置され、前記濾過網チャンバ内には濾過網が上下対称に、且つスライド可能に設置され、前記噛合歯車のうち対称中心に近接した一端にはラックが噛み合っており、前記ラックのうち対称中心に近接した一端は前記濾過網と固定的に連結され、左側の前記上伝動軸の後端は前記上ベルトチャンバ内に延在し、且つ左側の前記上伝動軸の後端には前記第二ベルトプーリが連結され、前側の前記歯車チャンバには伝動チャンバが連通するように設置され、前記伝動チャンバ内には伝動輪が左右対称に、且つ回転可能に設置され、前記下伝動軸の前端は前記伝動チャンバ内に延在し、且つ前記伝動輪に固定的に連結され、二つの前記伝動輪は伝動ベルトによって連結されている。
【００１２】
好ましくは、上側の前記濾過網は下側の前記濾過網より濾過孔が大きく、それにより、雑物が前記濾過網に落ちた時に、上側の前記濾過網は大きな雑物を引き止め、小さな雑物は下側の濾過網に落ちる。
【００１３】
好ましくは、前記船体の上端には連結棒が固定的に設置され、前記連結棒の上端には下スライド板が固定的に連結され、前記下スライド板は前記回転体の下側に位置し、前記収集装置の輸送する雑物は前記下スライド板によって前記濾過網チャンバ内にスライドでき、さらに二つの前記濾過網によって濾過される。
【発明の効果】
【００１４】
本発明は以下のプラス効果を有する：本発明はベルトで水面にある雑物を集めて輸送し、回転体の回転でベルトを回転させ、それにより、船体両側の雑物に対しても迅速に対応でき、また、異なる大きさを有する濾過網を用いることで、雑物を素早く分別し、処理できる。
【図面の簡単な説明】
【００１５】
下記に図１〜１２を合わせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の水面雑物の収集処理システムの全体構成略図
【図２】図２は図１におけるＡ―Ａ方向からの構成略図
【図３】図３は図１におけるＢの拡大略図
【図４】図４は図１におけるＣ―Ｃ方向からの構成略図
【図５】図５は図４におけるＤ―Ｄ方向からの構成略図
【図６】図６は図２におけるＥ―Ｅ方向からの構成略図
【図７】図７は図１におけるＦ―Ｆ方向からの構成略図
【図８】図８は図１におけるＧ―Ｇ方向からの構成略図
【図９】図９は図２におけるＨ―Ｈ方向からの拡大略図
【図１０】図１０は図３におけるＩ―Ｉ方向からの構成略図
【図１１】図１１は図３におけるＪ方向からの構成略図
【図１２】図１２は図１１におけるＫ―Ｋ方向からの構成略図
【発明を実施するための形態】
【００１７】
本発明は水面雑物の収集処理システムを取り上げ、主に水面雑物の処理に応用され、下記に付図を交え、本発明についてさらなる説明を行う。
【００１８】
本発明の水面雑物の収集処理システムは、回転体７３を含み、前記回転体７３内には上方に開口し、且つ左右に貫通した輸送チャンバ８２が設置され、前記輸送チャンバ８２内には収集装置１００が設置され、前記収集装置１００は水面雑物を集められ、且つ運び出すことができ、前記回転体７３の下側には船体１２が設置され、前記船体１２内には上方に開口した開口チャンバ７２が設置され、前記開口チャンバ７２内には回転ブロック１１が回転可能に設置され、前記回転体７３の下端にはヒンジ連結棒１０がヒンジで連結され、前記ヒンジ連結棒１０の下端は前記回転ブロック１１と固定的に連結され、前記回転ブロック１１と前記回転体７３との間には回転装置１０１がヒンジで連結され、前記回転装置１０１は前記回転体７３を垂直面で回転させられ、前記回転ブロック１１の下端には旋転装置１０２が固定的に連結され、前記旋転装置１０２は前記回転ブロック１１を回転させられ、そして前記回転体７３を回転連動させ、前記回転装置１０１と前記旋転装置１０２とは噛み合うように連結され、前記旋転装置１０２と前記回転装置１０１との右側には濾過装置１０３が設置され、前記回転装置１０１と前記旋転装置１０２とはそれぞれ前記濾過装置１０３と噛み合うように連結され、前記濾過装置１０３は水面雑物に分別を行える。
【００１９】
実施例に基づき、下記に前記収集装置１００について詳しく説明し、前記収集装置１００は前記回転体７３内に設置された輸送チャンバ８２を含み、前記輸送チャンバ８２は左右に貫通し、且つ上方に開口しており、前記輸送チャンバ８２の前後内壁の間には固定軸２０が左右対称に、且つ回転可能に連結され、前記固定軸２０の円周面には第一プーリ２１が固定的に設置され、左右二つの前記第一プーリ２１はベルト８３によって連結され、前記ベルト８３の上端には隔て板２２が二十六個固定的に連結され、前記回転体７３の後側内壁内には輸送モータ７４が固定的に設置され、右側の前記固定軸２０の後端は前記輸送モータ７４に伝動可能に連結され、
前記輸送モータ７４は前記固定軸２０の回転を駆動でき、それにより、前記第一プーリ２１を連動させて回転させ、そして前記ベルト８３のスライドを連動させ、さらに前記隔て板２２で水面雑物を収集し、輸送する。
【００２０】
実施例に基づき、下記に前記回転装置１０１について詳しく説明し、前記回転装置１０１は前記船体１２内に設置された第一噛合チャンバ２５を含み、前記第一噛合チャンバ２５内には第一傘歯車２７が回転可能に設置され、前記第一傘歯車２７の上端には回転軸２６が固定的に連結され、前記第一噛合チャンバ２５の上側内壁内には第二噛合チャンバ５３が連通するように設置され、前記回転軸２６の上端は前記第二噛合チャンバ５３の中に延在し、且つ前記回転軸２６の上端には第二傘歯車５２が固定的に設置され、前記第二傘歯車５２の左端には第三傘歯車５４が噛み合っており、前記第三傘歯車５４の左端には右側伝動軸５５が固定的に連結され、前記第二噛合チャンバ５３の左側内壁内には旋転チャンバ８４が連通するように設置され、前記旋転チャンバ８４内には固定連結ブロック７８が左右対称に、且つ回転可能に設置され、前記固定連結ブロック７８のうち対称中心に近接した一端には水平軸７９が回転可能に連結され、前記水平軸７９内には縦軸８０が回転可能に設置され、前記縦軸８０の上下両端にはそれぞれ工字棒８１がヒンジで連結され、前記固定連結ブロック７８のうち対称中心から離れた一端には左側伝動軸５６が固定的に連結され、前記回転ブロック１１内には上方に開口したスライドブロックチャンバ６１が設置され、前記スライドブロックチャンバ６１内にはネジ山ブロック５７がスライド可能に設置され、前記左側伝動軸５６の右端と前記ネジ山ブロック５７とはネジ山で連結され、前記ネジ山ブロック５７の上端にはスライド棒５８がヒンジで連結され、前記回転ブロック１１の上端には回転棒６０がヒンジで連結され、前記回転棒６０内にはスライド溝５９が前後貫通するように形成され、前記スライド溝５９内にはスライドブロック８５がスライド可能に設置され、前記スライドブロック８５の前後両端と前記スライド棒５８とはヒンジで連結され、前記回転棒６０の上端は前記回転体７３の下端にヒンジで連結され、
前記右側伝動軸５５の回転は前記工字棒８１の回転を駆動し、それにより、前記固定連結ブロック７８は駆動されて回転し、そして前記左側伝動軸５６は駆動されて回転し、そして前記ネジ山ブロック５７は駆動されてスライドし、さらに前記スライドブロック８５は駆動されて前記スライド溝５９内でスライドし、前記ヒンジ連結棒１０と前記回転体７３の下端とはヒンジで連結され、支点として働け、前記回転体７３の回転を駆動できる。  
【００２１】
実施例に基づき、下記に前記旋転装置１０２について詳しく説明し、前記旋転装置１０２は前記第一噛合チャンバ２５内に回転可能に設置された第一スリーブ軸２３を含み、前記第一スリーブ軸２３の円周面には第一スリーブ２４がスライド可能に、且つ回転可能に設置され、前記第一スリーブ２４の右端には第四傘歯車５０が固定的に設置され、前記第四傘歯車５０は前記第一傘歯車２７と噛み合うことができ、前記第一スリーブ２４の左端には第五傘歯車４３が固定的に設置され、前記第五傘歯車４３の左端には第六傘歯車８８が噛み合っており、前記第一噛合チャンバ２５の上側内壁内には回転軸チャンバ９７が連通するように設置され、前記回転軸チャンバ９７内にはＺ形棒４２が回転可能に設置され、前記Ｚ形棒４２の下端は前記第六傘歯車８８と固定的に連結され、前記Ｚ形棒４２の上端と前記回転ブロック１１とは固定的に連結されている。
【００２２】
好ましくは、前記船体１２内には圧縮チャンバ４４が設置され、前記圧縮チャンバ４４内には第一電磁石４６がスライド可能に設置され、前記第一電磁石４６と前記圧縮チャンバ４４の左側内壁との間には第一ばね４５が固定的に連結され、前記第一電磁石４６の右端には下側推動板４７が固定的に連結され、前記第一電磁石４６のスライドは前記下側推動板４７のスライドを駆動でき、そして第四傘歯車５０を押し動かしてスライドさせられる。
【００２３】
好ましくは、前記船体１２内には第三噛合チャンバ３４が設置され、前記第三噛合チャンバ３４内にはモータ軸３２が回転可能に設置され、前記第三噛合チャンバ３４の右側内壁内には伝動モータ３１が設置され、前記モータ軸３２の右端には前記伝動モータ３１が伝動可能に連結され、前記モータ軸３２の円周面には第二スリーブ９１がスライド可能に、且つ回転可能に連結され、前記第二スリーブ９１の右端には第七傘歯車９２が固定的に設置され、前記第七傘歯車９２の右端は第八傘歯車３３と噛み合うことができ、前記第二スリーブ９１の左端には上平歯車９０が固定的に設置され、前記第一噛合チャンバ２５の右側内壁内には第四噛合チャンバ４１が連通するように設置され、前記第一スリーブ軸２３の右端は前記第四噛合チャンバ４１内に延在し、且つ前記第一スリーブ軸２３の右端には下平歯車２８が固定的に連結され、前記下平歯車２８は前記上平歯車９０と噛み合うことができ、前記第四噛合チャンバ４１の上側内壁内にはばねチャンバ９９が連通するように設置され、前記ばねチャンバ９９内には第二電磁石３８がスライド可能に設置され、前記第二電磁石３８の左端と前記ばねチャンバ９９の左側内壁との間には第二ばね４０が固定的に設置され、前記第二電磁石３８の右端には上側推動板３７が固定的に連結されている。
【００２４】
実施例に基づき、下記に前記濾過装置１０３について詳しく説明し、前記濾過装置１０３は前記第八傘歯車３３の上端に固定的に設置された中間回転軸７５を含み、前記第三噛合チャンバ３４の上側内壁内には上ベルトチャンバ７０が連通するように設置され、前記中間回転軸７５の上端は前記上ベルトチャンバ７０内に延在し、且つ前記中間回転軸７５の上端には第一ベルトプーリ７６が固定的に連結され、前記第一ベルトプーリ７６の右側には第二ベルトプーリ６９が回転可能に設置され、前記第二ベルトプーリ６９と前記第一ベルトプーリ７６との間には第一ベルト６８が連結され、前記上ベルトチャンバ７０の前側内壁内には歯車チャンバ１５が前後対称に設置され、前後の前記歯車チャンバ１５の間には上伝動軸３５と下伝動軸１４とが左右対称に、且つ回転可能に設置され、前記上伝動軸３５は前記下伝動軸１４の上側に位置し、前後二つの前記歯車チャンバ１５内には八つの噛合歯車１３が左右対称に、且つ回転可能に設置され、八つの前記噛合歯車１３は前記上伝動軸３５と前記下伝動軸１４との円周面にそれぞれ固定的に設置され、前記歯車チャンバ１５の間には上方に開口した濾過網チャンバ１７が連通するように設置され、前記濾過網チャンバ１７内には濾過網２９が上下対称に、且つスライド可能に設置され、前記噛合歯車１３のうち対称中心に近接した一端にはラック１６が噛み合っており、前記ラック１６のうち対称中心に近接した一端は前記濾過網２９と固定的に連結され、左側の前記上伝動軸３５の後端は前記上ベルトチャンバ７０内に延在し、且つ左側の前記上伝動軸３５の後端には前記第二ベルトプーリ６９が連結され、前側の前記歯車チャンバ１５には伝動チャンバ７１が連通するように設置され、前記伝動チャンバ７１内には伝動輪６４が左右対称に、且つ回転可能に設置され、前記下伝動軸１４の前端は前記伝動チャンバ７１内に延在し、且つ前記伝動輪６４に固定的に連結され、二つの前記伝動輪６４は伝動ベルト６５によって連結されている。
【００２５】
好ましくは、上側の前記濾過網２９は下側の前記濾過網２９より濾過孔が大きい。
【００２６】
好ましくは、前記船体１２の上端には連結棒１９が固定的に設置され、前記連結棒１９の上端には下スライド板５１が固定的に連結され、前記下スライド板５１は前記回転体７３の下側に位置し、前記収集装置１００の輸送する雑物は前記下スライド板５１によって前記濾過網チャンバ１７内にスライドでき、さらに二つの前記濾過網２９によって濾過される。
【００２７】
下記に付図１〜１２を合わせて、本発明である水面雑物の収集処理システムの使用手順について詳しく説明する。
【００２８】
初期状態で、回転体７３は水平状態にあり、第四傘歯車５０と第一傘歯車２７とは噛み合い、第七傘歯車９２と第八傘歯車３３とは噛み合い、上下の濾過網２９は下限界位置にある。
【００２９】
雑物が発見された時、第二電磁石３８を通電させ、それにより、第二ばね４０は駆動されて収縮し、そして第二電磁石３８は駆動されてスライドし、さらに上側推動板３７は駆動されてスライドし、さらに上平歯車９０と下平歯車２８とは押されて噛み合い、伝動モータ３１を作動させ、モータ軸３２は回転し、第二スリーブ９１は駆動されて回転し、そして上平歯車９０は駆動されて回転し、さらに下平歯車２８は駆動されて回転し、さらに第一スリーブ軸２３は駆動されて回転し、さらに第一スリーブ２４は駆動されて回転し、更に第四傘歯車５０は駆動されて回転し、さらに第一傘歯車２７は駆動されて回転し、さらに回転軸２６は駆動されて回転し、さらに第二傘歯車５２は駆動されて回転し、さらに第三傘歯車５４は駆動されて回転し、さらに右側伝動軸５５は駆動されて回転し、さらに右側の固定連結ブロック７８は駆動されて回転し、さらに工字棒８１は駆動されて回転し、さらに左側の固定連結ブロック７８は駆動されて回転し、さらに左側伝動軸５６は駆動されて回転し、さらにネジ山ブロック５７は駆動されてスライドし、さらにスライド棒５８は駆動されて回転し、さらにスライドブロック８５は駆動されてスライド溝５９内でスライドし、さらに回転体７３は駆動されて垂直面内で一定の角度を回転し、収集装置１００を水面雑物の下側に位置させ、この時に、伝動モータ３１を止め、第二電磁石３８は通電しなくなり、輸送モータ７４を起動し、固定軸２０は回転し、第一プーリ２１は駆動されて回転し、そしてベルト８３は駆動されてスライドし、さらに隔て板２２は駆動されてスライドし、それにより、水面雑物を上方へ運び、下スライド板５１によって水面雑物を濾過網チャンバ１７内に送り、そして上下の濾過網２９で水面雑物を濾過する。
【００３０】
船体の左右両側に雑物があり、回転体７３の回転が必要となる時に、第二電磁石３８と第一電磁石４６を通電させ、伝動モータ３１を起動し、モータ軸３２は回転し、それにより、第二スリーブ９１は駆動されて回転し、そして上平歯車９０は駆動されて回転し、さらに下平歯車２８は駆動されて回転し、さらに第一スリーブ軸２３は駆動されて回転し、さらに第一スリーブ２４は駆動されて回転し、さらに第五傘歯車４３は駆動されて回転し、さらに第六傘歯車８８は駆動されて回転し、さらにＺ形棒４２は駆動されて回転し、さらに回転ブロック１１は駆動されて回転し、さらに回転体７３は駆動されて回転し、回転体７３が適した位置に回転した時、第二電磁石３８と第一電磁石４６は通電しなくなり、伝動モータ３１は作動を止める。
【００３１】
雑物を処理終えた後に、第二電磁石３８は通電しなくなり、第七傘歯車９２と第八傘歯車３３とは噛み合い、伝動モータ３１を起動し、それにより、モータ軸３２は回転し、そして第八傘歯車３３は駆動されて回転し、さらに中間回転軸７５は駆動されて回転し、さらに第一ベルトプーリ７６は駆動されて回転し、さらに第一ベルト６８は駆動されてスライドし、さらに第二ベルトプーリ６９は駆動されて回転し、さらに上伝動軸３５は駆動されて回転し、さらに左側上端の二つの噛合歯車１３は駆動されて回転し、さらにラック１６は駆動されてスライドし、さらに左側下端の二つの噛合歯車１３は駆動されて回転し、さらに、左側の下伝動軸１４は駆動されて回転し、同時に伝動輪６４は駆動されて回転し、そして伝動ベルト６５は駆動されて回転し、さらに右側の下伝動軸１４は駆動されて回転し、さらに右側下端前後の噛合歯車１３は駆動されて回転し、さらに右側前後のラック１６は駆動されてスライドし、さらに上下の濾過網２９は駆動されてスライドし、それにより、上下の濾過網に濾過された雑物を拾い上げることに便利を与える。
【００３２】
本発明は以下のプラス効果を有する：本発明はベルトで水面にある雑物を集めて輸送し、回転体の回転でベルトを回転させ、それにより、船体両側の雑物に対しても迅速に対応でき、また、異なる大きさを有する濾過網を用いることで、雑物を素早く分別し、処理できる。
【００３３】
以上の方式により、本分野の技術者が本発明の範囲内に作動モードに応じて各種な変化を加えることができる。
【図１】
2020195992.tif 000003
【図２】
2020195992.tif 000004
【図３】
2020195992.tif 000005
【図４】
2020195992.tif 000006
【図５】
2020195992.tif 000007
【図６】
2020195992.tif 000008
【図７】
2020195992.tif 000009
【図８】
2020195992.tif 000010
【図９】
2020195992.tif 000011
【図１０】
2020195992.tif 000012
【図１１】
2020195992.tif 000013
【図１２】
2020195992.tif 000014
【手続補正書】
【提出日】令和2年4月14日(2020.4.14)
【手続補正１】
【補正対象書類名】特許請求の範囲
【補正対象項目名】全文
【補正方法】変更
【補正の内容】
【特許請求の範囲】
【請求項１】
正面視で、回転体を含み、
前記回転体内には上方に開口し、且つ左右に貫通した輸送チャンバが設置され、前記輸送チャンバ内には収集装置が設置され、前記収集装置は水面雑物を集められ、且つ運び出すことができ、
前記回転体の下側には船体が設置され、前記船体内には上方に開口した開口チャンバが設置され、前記開口チャンバ内には回転ブロックが回転可能に設置され、前記回転体の下端にはヒンジ連結棒がヒンジで連結され、前記ヒンジ連結棒の下端は前記回転ブロックと固定的に連結され、前記回転ブロックと前記回転体との間には回転装置がヒンジで連結され、前記回転装置は前記回転体を垂直面で回転させられ、
前記回転ブロックの下端には旋転装置が固定的に連結され、前記旋転装置は前記回転ブロックを回転させられ、そして前記回転体を回転連動させ、前記回転装置と前記旋転装置とは噛み合うように連結され、
前記旋転装置と前記回転装置との右側には濾過装置が設置され、前記回転装置と前記旋転装置とはそれぞれ前記濾過装置と噛み合うように連結され、前記濾過装置は水面雑物に分別を行えることを特徴とする水面雑物の収集処理システム。
【請求項２】
前記収集装置は前記回転体内に設置された輸送チャンバを含み、前記輸送チャンバは左右に貫通し、且つ上方に開口しており、前記輸送チャンバの前後内壁の間には固定軸が左右対称に、且つ回転可能に連結され、前記固定軸の円周面には第一プーリが固定的に設置され、左右二つの前記第一プーリはベルトによって連結され、前記ベルトの上端には隔て板が二十六個固定的に連結され、前記回転体の後側内壁内には輸送モータが固定的に設置され、右側の前記固定軸の後端は前記輸送モータに伝動可能に連結されていることを特徴とする請求項１に記載の水面雑物の収集処理システム。
【請求項３】
前記回転装置は前記船体内に設置された第一噛合チャンバを含み、前記第一噛合チャンバ内には第一傘歯車が回転可能に設置され、前記第一傘歯車の上端には回転軸が固定的に連結され、前記第一噛合チャンバの上側内壁内には第二噛合チャンバが連通するように設置され、前記回転軸の上端は前記第二噛合チャンバの中に延在し、且つ前記回転軸の上端には第二傘歯車が固定的に設置され、前記第二傘歯車の左端には第三傘歯車が噛み合っており、前記第三傘歯車の左端には右側伝動軸が固定的に連結され、前記第二噛合チャンバの左側内壁内には旋転チャンバが連通するように設置され、前記旋転チャンバ内には固定連結ブロックが左右対称に、且つ回転可能に設置され、前記固定連結ブロックのうち対称中心に近接した一端には水平軸が回転可能に連結され、前記水平軸内には縦軸が回転可能に設置され、前記縦軸の上下両端にはそれぞれ工字棒がヒンジで連結され、前記固定連結ブロックのうち対称中心から離れた一端には左側伝動軸が固定的に連結され、前記回転ブロック内には上方に開口したスライドブロックチャンバが設置され、前記スライドブロックチャンバ内にはネジ山ブロックがスライド可能に設置され、前記左側伝動軸の右端と前記ネジ山ブロックとはネジ山で連結され、前記ネジ山ブロックの上端にはスライド棒がヒンジで連結され、前記回転ブロックの上端には回転棒がヒンジで連結され、前記回転棒内にはスライド溝が前後貫通するように形成され、前記スライド溝内にはスライドブロックがスライド可能に設置され、前記スライドブロックの前後両端と前記スライド棒とはヒンジで連結され、前記回転棒の上端は前記回転体にヒンジで連結されていることを特徴とする請求項１に記載の水面雑物の収集処理システム。
【請求項４】
前記旋転装置は前記第一噛合チャンバ内に回転可能に設置された第一スリーブ軸を含み、前記第一スリーブ軸の円周面には第一スリーブがスライド可能に、且つ回転可能に設置され、前記第一スリーブの右端には第四傘歯車が固定的に設置され、前記第四傘歯車は前記第一傘歯車と噛み合うことができ、前記第一スリーブの左端には第五傘歯車が固定的に設置され、前記第五傘歯車の左端には第六傘歯車が噛み合っており、前記第一噛合チャンバの上側内壁内には回転軸チャンバが連通するように設置され、前記回転軸チャンバ内にはＺ形棒が回転可能に設置され、前記Ｚ形棒の下端は前記第六傘歯車と固定的に連結され、前記Ｚ形棒の上端と前記回転ブロックとは固定的に連結されていることを特徴とする請求項３に記載の水面雑物の収集処理システム。
【請求項５】
前記船体内には圧縮チャンバが設置され、前記圧縮チャンバ内には第一電磁石がスライド可能に設置され、前記第一電磁石と前記圧縮チャンバの左側内壁との間には第一ばねが固定的に連結され、前記第一電磁石の右端には下側推動板が固定的に連結されていることを特徴とする請求項４に記載の水面雑物の収集処理システム。
【請求項６】
前記船体内には第三噛合チャンバが設置され、前記第三噛合チャンバ内にはモータ軸が回転可能に設置され、前記第三噛合チャンバの右側内壁内には伝動モータが設置され、前記モータ軸の右端には前記伝動モータが伝動可能に連結され、前記モータ軸の円周面には第二スリーブがスライド可能に、且つ回転可能に連結され、前記第二スリーブの右端には第七傘歯車が固定的に設置され、前記第七傘歯車の右端は第八傘歯車と噛み合うことができ、前記第二スリーブの左端には上平歯車が固定的に設置され、前記第一噛合チャンバの右側内壁内には第四噛合チャンバが連通するように設置され、前記第一スリーブ軸の右端は前記第四噛合チャンバ内に延在し、且つ前記第一スリーブ軸の右端には下平歯車が固定的に連結され、前記下平歯車は前記上平歯車と噛み合うことができ、前記第四噛合チャンバの上側内壁内にはばねチャンバが連通するように設置され、前記ばねチャンバ内には第二電磁石がスライド可能に設置され、前記第二電磁石の左端と前記ばねチャンバの左側内壁との間には第二ばねが固定的に設置され、前記第二電磁石の右端には上側推動板が固定的に連結されていることを特徴とする請求項４に記載の水面雑物の収集処理システム。
【請求項７】
前記濾過装置は前記第八傘歯車の上端に固定的に設置された中間回転軸を含み、前記第三噛合チャンバの上側内壁内には上ベルトチャンバが連通するように設置され、前記中間回転軸の上端は前記上ベルトチャンバ内に延在し、且つ前記中間回転軸の上端には第一ベルトプーリが固定的に連結され、前記第一ベルトプーリの右側には第二ベルトプーリが回転可能に設置され、前記第二ベルトプーリと前記第一ベルトプーリとの間には第一ベルトが連結され、前記上ベルトチャンバの前側内壁内には歯車チャンバが前後対称に設置され、前後の前記歯車チャンバの間には上伝動軸と下伝動軸とが左右対称に、且つ回転可能に設置され、前記上伝動軸は前記下伝動軸の上側に位置し、前後二つの前記歯車チャンバ内には八つの噛合歯車が左右対称に、且つ回転可能に設置され、八つの前記噛合歯車は前記上伝動軸と前記下伝動軸との円周面にそれぞれ固定的に設置され、前記歯車チャンバの間には上方に開口した濾過網チャンバが連通するように設置され、前記濾過網チャンバ内には濾過網が上下対称に、且つスライド可能に設置され、前記噛合歯車のうち対称中心に近接した一端にはラックが噛み合っており、前記ラックのうち対称中心に近接した一端は前記濾過網と固定的に連結され、左側の前記上伝動軸の後端は前記上ベルトチャンバ内に延在し、且つ左側の前記上伝動軸の後端には前記第二ベルトプーリが連結され、前側の前記歯車チャンバには伝動チャンバが連通するように設置され、前記伝動チャンバ内には伝動輪が左右対称に、且つ回転可能に設置され、前記下伝動軸の前端は前記伝動チャンバ内に延在し、且つ前記伝動輪に固定的に連結され、二つの前記伝動輪は伝動ベルトによって連結されていることを特徴とする請求項６に記載の水面雑物の収集処理システム。
【請求項８】
上側の前記濾過網は下側の前記濾過網より濾過孔が大きいことを特徴とする請求項７に記載の水面雑物の収集処理システム。
【請求項９】
前記船体の上端には連結棒が固定的に設置され、前記連結棒の上端には下スライド板が固定的に連結され、前記下スライド板は前記回転体の下側に位置することを特徴とする請求項１又は請求項７に記載の水面雑物の収集処理システム。